(57)【要約】【課題】体液の吸収量を十分に確保でき、かつ表面のドライ感を保つことができる体液吸収パッドを提供する。【解決手段】体液吸収パッド１では、浸透布２の裏側に複数層の吸収保水層４が設けられており、体液の吸収量が十分に確保される。また、体液吸収パッド１では、吸収保水層４が上部吸収保水層１１及び底部吸収保水層２１を備える。そして、上部吸収保水層１１のスリット１４及びスリット１８を貫いて浸透布２と底部吸収保水層２１とが縫着されて浸透布２の凹部２ｄが形成されると共に、浸透布２と底部吸収保水層２１と縫着部分Ｓの中央部に相当する縫着部分Ｓａの縫い幅が、閂縫いによって他の部分の縫い幅よりも広くなっている。これにより、凹部２ｄに誘導された体液が縫い幅の広い縫着部分Ｓａを伝わって肌側から遠い底部吸収保水層２１に素早く流れ込むので、パッド表面のドライ感が維持される。【選択図】図３
2010259724.tif 000002
【特許請求の範囲】
【請求項１】
着用状態において着用者の股部に対応する部分にあてがわれ、前記着用者の体液が外部に漏れるのを抑えるための体液吸収パッドであって、
前記着用者の尿道口に対応する位置に体液の注入口となる凹部が形成され、前記凹部において肌側から裏側に体液を浸透させる浸透布と、
前記浸透布の裏側に設けられ、前記浸透布に周縁部が縫着されることによって袋部を形成する防水性の裏当布と、
前記袋部の内部において前記浸透布の裏側に複数層にわたって設けられ、前記凹部から浸透した体液を吸収して保水する吸収保水層とを備え、
前記吸収保水層は、
前記浸透布に周縁部が縫着され、前記凹部に対応する位置に第１のスリットが形成された上部吸収保水層と、
前記第１のスリットを塞ぐように前記上部吸収保水層の裏側に縫着された底部吸収保水層とを含み、
前記凹部は、前記第１のスリットを貫いて前記浸透布と前記底部吸収保水層とが縫着されることによって形成され、当該縫着部分の一部の縫い幅が他の部分の縫い幅よりも広くなっていることを特徴とする体液吸収パッド。
【請求項２】
前記縫着部分の一部は、閂縫いによって形成されていることを特徴とする請求項１記載の体液吸収パッド。
【請求項３】
前記上部吸収保水層には、前記第１のスリットを挟むように前記上部吸収保水層の前後方向に延在する一対の第２のスリットが形成され、
前記第２のスリットは、前記第１のスリットに向かって凸となる湾曲形状をなしており、
前記底部吸収保水層は、前記一対の第２のスリット間に配置されていることを特徴とする請求項１又は２記載の体液吸収パッド。
【請求項４】
前記上部吸収保水層の肌側において、前記第１のスリットよりも前記着用者の臀部側となる位置には、舌片状の層が縫着されていることを特徴とする請求項１〜３のいずれか一項記載の体液吸収パッド。
【発明の詳細な説明】
【技術分野】
【０００１】
本発明は、失禁時の尿や生理時の経血などの体液が外部に漏れるのを抑えるための体液吸収パッドに関する。
【背景技術】
【０００２】
従来、体液吸収パッドが取付けられた下着として、例えば特許文献１に記載の失禁用パンツがある。この失禁用パンツは、ラミネート生地、吸水性部材、吸収性生地、及びネット生地の積層体の周縁を撥水性テープで縫着してなる尿吸収パッドを備えており、尿吸収パッドの周縁を部分的にパンツ身生地に縫着した構造となっている。また、このような尿吸収パッドにおいて、吸収層を複数層にわたって立体的に配置したものがある。これにより、漏れた尿の吸収力の強化が図られている。
【先行技術文献】
【特許文献】
【０００３】
【特許文献１】登録実用新案第２５３５４６９号公報
【発明の概要】
【発明が解決しようとする課題】
【０００４】
しかしながら、従来の体液吸収パッドでは、複数層の吸収層が立体的に配置されているにもかかわらず、最表層の浸透布から浸透した体液が肌側に近い吸収層で広がりやすいという問題があった。そのため、体液の保水量が十分となっていても、パッド表面のドライ感が損なわれてしまうという問題があった。
【０００５】
本発明は、上記課題の解決のためになされたものであり、体液の吸収量を十分に確保でき、かつ表面のドライ感を保つことができる体液吸収パッドを提供することを目的とする。
【課題を解決するための手段】
【０００６】
上記課題の解決のため、本発明に係る体液吸収パッドは、着用状態において着用者の股部に対応する部分にあてがわれ、着用者の体液が外部に漏れるのを抑えるための体液吸収パッドであって、着用者の尿道口に対応する位置に体液の注入口となる凹部が形成され、凹部において肌側から裏側に体液を浸透させる浸透布と、浸透布の裏側に設けられ、浸透布に周縁部が縫着されることによって袋部を形成する防水性の裏当布と、袋部の内部において浸透布の裏側に複数層にわたって設けられ、凹部から浸透した体液を吸収して保水する吸収保水層とを備え、吸収保水層は、浸透布に周縁部が縫着され、凹部に対応する位置に第１のスリットが形成された上部吸収保水層と、第１のスリットを塞ぐように前記上部吸収保水層の裏側に縫着された底部吸収保水層とを含み、凹部は、第１のスリットを貫いて浸透布と底部吸収保水層とが縫着されることによって形成され、当該縫着部分の一部の縫い幅が他の部分の縫い幅よりも広くなっていることを特徴としている。
【０００７】
この体液吸収パッドでは、浸透布と裏当布との縫着によって袋部を形成し、この袋部の内部において浸透布の裏側に複数層にわたって吸収保水層を設けている。このような複数層の吸収保水層により、体液の吸収量が十分に確保される。また、この体液吸収パッドでは、吸収保水層が上部吸収保水層及び底部吸収保水層によって構成されている。そして、上部吸収保水層の第１のスリットを貫いて浸透布と底部吸収保水層とが縫着されることによって浸透布の凹部が形成されると共に、浸透布と底部吸収保水層と縫着部分の一部の縫い幅が他の部分の縫い幅よりも広くなっている。これにより、凹部に誘導された体液が縫い幅の広い縫着部分を伝わって肌側から遠い底部吸収保水層に素早く流れ込むので、パッド表面のドライ感が維持される。
【０００８】
また、縫着部分の一部は、閂縫いによって形成されていることが好ましい。閂縫いにより、縫着部分の一部の縫い幅を好適に確保できる。
【０００９】
また、上部吸収保水層には、第１のスリットを挟むように上部吸収保水層の前後方向に延在する一対の第２のスリットが形成され、第２のスリットは、第１のスリットに向かって凸となる湾曲形状をなしており、底部吸収保水層は、一対の第２のスリット間に配置されていることが好ましい。この場合、着用者が様々な姿勢をとった場合でも、浸透布の凹部から底部吸収保水層に至る部分の形状が保持される。また、底部吸収保水層の形状が保持されることで、底部吸収保水層に溜まった体液が上部吸収保水層側に拡散することを抑制できる。これにより、パッド表面のドライ感がより確実に維持される。さらに、両面テープや面ファスナー等で固定しなくてもズレが生じにくいという効果も有する。
【００１０】
また、上部吸収保水層の肌側において、第１のスリットよりも着用者の臀部側となる位置には、舌片状の層が縫着されていることが好ましい。体液吸収パッドの臀部側の部分には、着用者が座った際などに圧力がかかり易い。したがって、上述した舌片状の層を設けることにより、臀部側に当たる部分にかかる圧力を緩和できるので、底部吸収保水層に溜まった体液が上部吸収保水層側に拡散することを効果的に抑制できる。
【発明の効果】
【００１１】
本発明によれば、体液の吸収量を十分に確保でき、かつ表面のドライ感を保つことができる。
【図面の簡単な説明】
【００１２】
【図１】本発明の第１実施形態に係る体液吸収パッドを肌側から見た平面図である。
【図２】図１に示した体液吸収パッドを裏側から見た平面図である。
【図３】図１及び図２に示した体液吸収パッドの分解斜視図である。
【図４】本発明の第２実施形態に係る体液吸収パッドを肌側から見た平面図である。
【図５】図４に示した体液吸収パッドを裏側から見た平面図である。
【図６】図４及び図５に示した体液吸収パッドの分解斜視図である。
【発明を実施するための形態】
【００１３】
以下、図面を参照しながら、本発明に係る体液吸収パッドの好適な実施形態について詳細に説明する。
【００１４】
［第１実施形態］
図１は、本発明の第１実施形態に係る体液吸収パッドを肌側から見た平面図である。また、図２は、図１に示した体液吸収パッドを裏側から見た平面図であり、図３は、体液吸収パッドの内部構成を示す分解斜視図である。図１〜図３に示すように、体液吸収パッド１は、浸透布２と、裏当布３と、吸収保水層４とを備えている。浸透布２の周縁部には、裏当布３の周縁部が撥水糸で縫着されて袋部Ｐが形成され、この袋部Ｐの内部に吸収保水層４が収容されている。
【００１５】
浸透布２は、例えばポリエステルを主体とし、抗菌性及び防臭性を有する繊維が裏面に混織されたメッシュ状の布地によって形成されている。この浸透布２の表側は着用者の股部にあてがわれる部分であり、裏側は袋部Ｐの内側上面を構成している。
【００１６】
浸透布２は、着用者の股部に対応する長さ寸法及び幅寸法を有している。浸透布２の周縁部のうち、恥骨側に当てられる前縁部２ａは、凸状に湾曲して形成され、臀部側に当てられる後縁部２ｂは、前縁部２ａよりも大きな径で凸状に湾曲して形成されている。また、脇縁部２ｃ，２ｃは、それぞれ凹状に湾曲して形成されている。
【００１７】
この浸透布２には、着用者の尿道口に対応する位置に体液の注入口となる凹部２ｄが形成されている。凹部２ｄは、浸透布２の前後方向に数ｃｍ程度で細長く延在しており、浸透布２は、主としてこの凹部２ｄから失禁時の尿や生理時の経血を裏側に通すようになっている。
【００１８】
裏当布３は、例えばポリエステルからなる布地により形成され、浸透布２と略同等の形状を有している。裏当布３の上面側は、袋部Ｐの内側下面を構成しており、例えばポリウレタンフィルムがラミネートされて防水性が付与されている。このラミネート加工によって防水性と同時に通気性が確保されており、着用時のムレ防止が図られている。
【００１９】
一方、吸収保水層４は、例えばポリエステル３８％、アクリル２８％、レーヨン１９％、ナイロン１０％からなる生地によって複数層に形成されている。この吸収保水層４は、図３に示すように、浸透布２側から順に、上部吸収保水層１１と、底部吸収保水層２１とが積層されて構成されている。より具体的には、上部吸収保水層１１は、上部吸収保水層１１の基部をなす基部層１２と、浸透布２と基部層１２との間に配置された立体形成層１３とによる２層構成となっている。
【００２０】
基部層１２は、浸透布２と類似した形状を有しており、基部層１２の前縁部１２ａは、浸透布２の前縁部２ａと略同形状で凸状に湾曲して形成され、基部層１２の後縁部１２ｂは、浸透布２の後縁部２ｂと略同形状で凸状に湾曲して形成されている。一方、基部層１２の脇縁部１２ｃ，１２ｃは、浸透布２の脇縁部２ｃ，２ｃとは異なり、展開状態において凹状の湾曲とはなっておらず、前縁部１２ａと後縁部１２ｂとの間で略直線状となっている。
【００２１】
この基部層１２には、浸透布２の凹部２ｄの形成位置に対応してスリット（第１のスリット）１４が形成されている。また、スリット１４の両脇には、スリット１４を挟むように脇縁部１２ｃ，１２ｃに沿って上部吸収保水層１１の前後方向に延在する一対のスリット（第２のスリット）１５，１５が形成されている。
【００２２】
スリット１５，１５は、スリット１４側に向かって凸となるような湾曲形状をなしており、スリット１５，１５の内側辺１５ａ，１５ａの曲率が外側辺１５ｂ，１５ｂの曲率よりも大きくなっていることにより、略三日月形状となっている。
【００２３】
また、基部層１２の肌側面において、スリット１５，１５間の生地部分１６には、スリット１４よりも着用者の臀部側となる位置に舌片状の層１７が配置されている。この舌片状の層１７の前縁部１７ａは、基部層１２の幅方向に直線状に延び、脇縁部１７ｂ，１７ｂは、スリット１５，１５の内側辺１５ａ，１５ａに沿うように凹状に湾曲して形成されている。
【００２４】
また、舌片状の層１７の後縁部１７ｃは、スリット１５，１５の後端同士を結ぶように、基部層１２の後縁部１２ｂと略同形状で凸状に湾曲して形成されている。舌片状の層１７は、前縁部１７ａのみが撥水糸によって基部層１２におけるスリット１５，１５間の生地部分１６に縫着され、後縁部１７ｃは生地部分１６に対してフリーになっている。
【００２５】
立体形成層１３は、基部層１２におけるスリット１５，１５間の生地部分１６にフィットする形状を有している。この立体形成層１３にも、浸透布２の凹部２ｄの形成位置に対応して、スリット１４と略同形状のスリット１８が形成されている。立体形成層１３の前縁部１３ａは、スリット１５，１５の前端同士を結ぶようなラインで、基部層１２の前縁部１２ａと略同形状で凸状に湾曲して形成され、立体形成層１３の後縁部１３ｂは、スリット１５，１５の後端同士を結ぶようなラインで、基部層１２の後縁部１２ｂと略同形状で凸状に湾曲して形成されている。
【００２６】
また、立体形成層１３の脇縁部１３ｃ，１３ｃは、基部層１２におけるスリット１５，１５の内側辺１５ａ，１５ａと略同形状で凹状に湾曲して形成され、撥水糸によってスリット１５，１５の内側辺１５ａ，１５ａに縫着されている。これにより、基部層１２に設けられた舌片状の層１７は、基部層１２と立体形成層１３とによって覆われた状態となっている。
【００２７】
また、立体形成層１３の幅寸法は、基部層１２におけるスリット１５，１５間の生地部分１６の幅寸法よりも大きく設定されている。したがって、脇縁部１３ｃを第２のスリット１５の内側辺１５ａに縫着することにより、立体形成層１３におけるスリット１８周りの生地部分は、基部層１２に対して僅かに浮き上がることとなる。
【００２８】
なお、立体形成層１３の脇縁部１３ｃと、第２のスリット１５の内側辺１５ａとの縫着には、例えば片落とし千鳥縫いが用いられる。これにより、立体形成層１３の高さを高くでき、空間を広く確保できるので、体液の注入口となる凹部２ｄのべたつきや水溜りの発生を抑制できる。
【００２９】
以上のような上部吸収保水層１１は、基部層１２の前縁部１２ａ、後縁部１２ｂ、及び脇縁部１２ｃ，１２ｃが、撥水糸によって浸透布２の前縁部２ａ、後縁部２ｂ、及び脇縁部２ｃ，２ｃにそれぞれ縫着されることによって浸透布２に固定されている。このとき、基部層１２の幅寸法は、脇縁部１２ｃが凹状となっていない分、浸透布２の幅寸法よりも大きくなっている。したがって、基部層１２の周縁部を浸透布２の周縁部に縫着することにより、基部層１２におけるスリット１５，１５間の生地部分１６は、脇縁部１２ｃに対して上下方向に位置ずれすることとなる。
【００３０】
一方、上述したように、立体形成層１３におけるスリット１８周りの生地部分は、基部層１２に対して僅かに浮き上がった状態となっている。したがって、この浮き上がったスリット１８周りの生地部分は、浸透布２の裏側面に密着し、浸透布２における凹部２ｄ周りに膨らみ構造を形成している。
【００３１】
底部吸収保水層２１は、上部吸収保水層１１の基部層１２に隣接する容量形成層２２と、吸収保水層４の最下層となる注入層２３とによる２層構成となっている。容量形成層２２は、上部吸収保水層１１の基部層１２におけるスリット１５，１５間の生地部分１６にフィットする形状を有し、上部吸収保水層１１の基部層１２の裏側に配置されている。容量形成層２２の前縁部２２ａは、スリット１５，１５の前端同士を結ぶようなラインで凸状に湾曲して形成され、容量形成層２２の後縁部２２ｂは、スリット１５，１５の後端同士を結ぶようなラインで凸状に湾曲して形成されている。
【００３２】
なお、容量形成層２２の後縁部２２ｂは、底部吸収保水層２１の後方に向かって凹となる左右の辺が中央で交わって先鋭化されている。これにより、体液吸収パッド１の着用状態における臀部のフィット感が良好なものとなる。また、容量形成層２２の脇縁部２２ｃ，２２ｃは、上部吸収保水層１１の基部層１２におけるスリット１５，１５の内側辺１５ａ，１５ａと略同形状で凹状に湾曲して形成されている。
【００３３】
この容量形成層２２は、撥水糸によって前縁部２２ａの中央部分及び脇縁部２２ｃの後端部分が上部吸収保水層１１の基部層１２に閂縫いで縫着されることにより、上部吸収保水層１１の基部層１２におけるスリット１５，１５間の生地部分１６の裏側に固定されている。また、容量形成層２２の中央部分は、上部吸収保水層１１の基部層１２におけるスリット１４、及び立体形成層１３におけるスリット１８を貫くようにして、吸水糸によって例えば閂縫いにて浸透布２に縫着されている。つまり、この容量形成層２２は、閂縫いのみによって上部吸収保水層１１に縫着されている。そして、基部層１２及び立体形成層１３のスリット前後部のみが浸透布２と本縫いで縫着されている。
【００３４】
注入層２３は、上部吸収保水層１１の基部層１２におけるスリット１５，１５間の生地部分１６の最小幅と略等幅の帯状をなし、容量形成層２２の裏側に配置されている。注入層２３の前縁部２３ａ及び後縁部２３ｂは、撥水糸によって容量形成層２２に縫着されている。
【００３５】
また、注入層２３の中央部分は、上部吸収保水層１１の基部層１２におけるスリット１４、及び立体形成層１３におけるスリット１８を貫くようにして、吸水糸によって容量形成層２２と共に浸透布２に縫着されている。この注入層２３と浸透布２との縫着部分Ｓａは、例えば閂縫いによって、縫着部分Ｓの中央部に重ねて数ｍｍ程度形成されており、縫着部分Ｓの縫い幅に対して数倍程度の縫い幅となっている。
【００３６】
また、底部吸収保水層２１においては、注入層２３、容量形成層２２の前縁部２３ａ、２２ａ、及び後縁部２３ｂ、２２ｂでの縫着は、注入層２３及び容量形成層２２を撓ませた状態で行われる。その後、縫着部分Ｓａにおいて縫着することにより、注入層２３及び容量形成層２２は、前後及び中央で縫着され、２つのアーチを有する形状となっている。このアーチ空間により、注入層２３と容量形成層２２、及び容量形成層と基部層１２がそれぞれ面として接しないため、注入層の体液が容量形成層２２及び基部層１２に伝わりにくくなり、保水力がアップする。
【００３７】
以上説明したように、体液吸収パッド１では、浸透布２と裏当布３との縫着によって袋部Ｐが形成され、この袋部Ｐの内部において浸透布２の裏側に複数層にわたって吸収保水層４が設けられている。このような複数層の吸収保水層４により、体液の吸収量が十分に確保される。
【００３８】
また、体液吸収パッド１では、吸収保水層４が上部吸収保水層１１及び底部吸収保水層２１によって構成されている。そして、上部吸収保水層１１のスリット１４及びスリット１８を貫いて浸透布２と底部吸収保水層２１とが縫着されることによって浸透布２の凹部２ｄが形成されると共に、浸透布２と底部吸収保水層２１と縫着部分Ｓの中央部に相当する縫着部分Ｓａの縫い幅が、閂縫いによって他の部分の縫い幅よりも広くなっている。これにより、凹部２ｄに誘導された体液が縫い幅の広い縫着部分Ｓａを伝わって肌側から遠い底部吸収保水層２１に素早く流れ込むので、パッド表面のドライ感が維持される。
【００３９】
本実施形態では、底部吸収保水層２１が容量形成層２２及び注入層２３からなり、容量形成層２２と浸透布２との縫着によって浸透布２の凹部２ｄが形成され、注入層２３と浸透布２との閂縫いによって縫い幅の広い縫着部分Ｓａが形成されている。これにより、凹部２ｄから浸透した体液が、吸収保水層４の最下層となる注入層２３に始めに流れ込み、注入層２３から順に上層に広がるようになるので、パッド表面のドライ感がより長期間にわたって維持される。
【００４０】
また、上部吸収保水層１１の基部層１２には、スリット１４を挟むように上部吸収保水層１１の前後方向に延在する一対のスリット１５，１５が形成され、スリット１５，１５は、スリット１４側に向かって凸となる湾曲形状をなしている。そして、底部吸収保水層２１の容量形成層２２及び注入層２３は、この一対のスリット１５，１５の間の位置に配置されている。
【００４１】
このような構成により、基部層１２におけるスリット１５，１５間の生地部分１６の変形がスリット１５，１５によって緩和される。このため、着用者が様々な姿勢をとった場合でも、生地部分１６に取り付けられた上部吸収保水層１１の立体形成層１３、及び底部吸収保水層２１の容量形成層２２・注入層２３が変形しにくくなり、浸透布２の凹部２ｄから底部吸収保水層２１に至る体液の伝達経路が保持される。したがって、底部吸収保水層２１に溜まった体液が上部吸収保水層１１側にすぐに拡散してしまうことを抑制でき、パッド表面のドライ感がより確実に維持される。さらに、両面テープや面ファスナー等で固定しなくてもズレが生じにくいという効果も有する。
【００４２】
また、上部吸収保水層１１の肌側において、スリット１４よりも着用者の臀部側となる位置には、舌片状の層１７が縫着されている。体液吸収パッド１の臀部側の部分には、着用者が座った際などに圧力がかかり易い。したがって、この舌片状の層１７を設けることにより、臀部側の部分にかかる圧力を緩和できるので、底部吸収保水層２１に溜まった体液が上部吸収保水層１１側にすぐに拡散してしまうことを一層効果的に抑制できる。
【００４３】
［第２実施形態］
続いて、本発明の第２実施形態について説明する。図４は、本発明の第２実施形態に係る体液吸収パッドを肌側から見た平面図である。また、図５は、図４に示した体液吸収パッドを裏側から見た平面図であり、図６は、体液吸収パッドの内部構成を示す分解斜視図である。
【００４４】
第２実施形態に係る体液吸収パッド３１は、第１実施形態に係る体液吸収パッド１に比べて体液の吸収量を大容量化したものである。体液吸収パッド３１は、各構成要素の長さ寸法及び幅寸法が体液吸収パッド１よりも大きくなっているほか、上部吸収保水層１１の基部層１２と立体形成層１３との間に中間層４１が設けられている点、上部吸収保水層１１の最下層に更なる基部層５１が設けられている点、底部吸収保水層２１の容量形成層５２の形状が容量形成層２２と異なる点、及び基部層１２と基部層５１のスリットが立体形成層１３及び中間層４１のスリットより長さが短く、かつ幅が広くなっている点で第１実施形態と相違する。なお、寸法の相違はあるが、第１実施形態と機能が共通する構成要素には、説明の便宜上、同様の符号を付す。
【００４５】
中間層４１は、上部吸収保水層１１の基部層１２におけるスリット１５，１５間の生地部分１６にフィットする形状を有し、基部層１２の肌側に配置されている。この中間層４１には、浸透布２の凹部２ｄの形成位置に対応して、スリット４２が形成されている。中間層４１の前縁部４１ａは、スリット１５，１５の前端同士を結ぶようなラインで凸状に湾曲して形成され、中間層４１の後縁部４１ｂは、スリット１５，１５の後端同士を結ぶようなラインで凸状に湾曲して形成されている。また、中間層４１の脇縁部４１ｃ，４１ｃは、スリット１５，１５の内側辺１５ａ，１５ａに沿うように凹状に湾曲して形成されている。
【００４６】
体液吸収パッド３１では、この中間層４１の肌側面において、スリット４２よりも着用者の臀部側となる位置に舌片状の層１７が配置されている。上部吸収保水層１１の立体形成層１３は、舌片状の層１７を覆うように中間層４１の肌側面に配置され、立体形成層１３の脇縁部１３ｃ，１３ｃは、撥水糸によって中間層４１の脇縁部４１ｃ，４１ｃに縫着されている。立体形成層１３の脇縁部１３ｃ，１３ｃと中間層４１の脇縁部４１ｃ，４１ｃとの縫着には、第１実施形態における立体形成層１３の脇縁部１３ｃ，１３ｃとスリット１５，１５の内側辺１５ａ，１５ａとの縫着と同様に、例えば片落とし千鳥縫いが用いられる。
【００４７】
基部層５１は、基部層１２の裏側に隣接して配置されている。基部層５１の前縁部５１ａは、基部層１２の前縁部１２ａよりも内側で直線状に形成され、基部層５１の後縁部５１ｂは、基部層１２の後縁部１２ｂよりも内側で直線状に形成されている。基部層５１の脇縁部５１ｃ，５１ｃは、展開状態において、浸透布２の脇縁部２ｃ，２ｃと略同形状で凹状に湾曲して形成されている。このように、基部層５１の前縁部５１ａ、後縁部５１ｂが直線状となっているのは、洗濯時（特に二層式洗濯機による）の水抵抗を緩和する上下方向の流路を形成するためである。
【００４８】
この基部層５１には、浸透布２の凹部２ｄの形成位置に対応して、スリット５４が形成されている。また、スリット５４の両脇には、このスリット５４を挟むように脇縁部５１ｃ，５１ｃに沿って上部吸収保水層１１の前後方向に延在する一対のスリット５５，５５が形成されている。スリット５５，５５は、スリット５４側に向かって凸となるような湾曲形状をなしており、スリット５５，５５の内側辺５５ａ，５５ａの曲率が外側辺５５ｂ，５５ｂの曲率よりも大きくなっていることにより、略三日月形状となっている。
【００４９】
底部吸収保水層２１の容量形成層５２は、前縁部５１ａ及び脇縁部５１ｃ，５１ｃの形状は第１実施形態と同様であるが、後縁部４１ｂが二股に分岐した状態となっており、基部層５１の裏側に配置されている。左右の分岐部分５７，５７は、基部層５１におけるスリット５５，５５の内側辺５５ａ，５５ａに沿ってスリット５５，５５の後端付近まで伸びており、分岐部分５７，５７の先端は、撥水糸によって基部層５１に縫着されている。
【００５０】
体液吸収パッド３１では、基部層５１の中央部分が、上部吸収保水層１１における立体形成層１３のスリット１８、中間層４１のスリット４２、及び上部吸収保水層１１における基部層１２のスリット１４を貫くようにして、吸水糸によって浸透布２に縫着されている。基部層５１と浸透布２との縫着部分Ｓは、前後方向に数ｃｍ程度にわたっており、これにより、上述した浸透布２の凹部２ｄが形成されている。
【００５１】
また、底部吸収保水層２１における注入層２３の中央部分は、上部吸収保水層１１における立体形成層１３のスリット１８、中間層４１のスリット４２、基部層１２のスリット１４、及び基部層５１のスリット５４を貫くようにして、吸水糸によって容量形成層５２と共に浸透布２に縫着されている。この注入層２３と浸透布２との縫着部分Ｓａは、例えば閂縫いによって、縫着部分Ｓの中央部に重ねて数ｍｍ程度形成されており、縫着部分Ｓの縫い幅に対して数倍程度の縫い幅となっている。
【００５２】
このような体液吸収パッド３１においても、第１実施形態と同様に、複数層の吸収保水層４によって体液の吸収量を十分に確保できる。体液吸収パッド３１では、吸収保水層４に中間層４１及び基部層５１を更に設けることにより、体液の吸収量の更なる向上を実現できる。また、浸透布２の凹部２ｄに誘導された体液が縫い幅の広い縫着部分Ｓａを伝わって肌側から遠い底部吸収保水層２１に素早く流れ込むので、パッド表面のドライ感が維持される。
【００５３】
さらに、体液吸収パッド３１では、底部吸収保水層２１の容量形成層５２における後縁部５２ｂを左右に分岐させている。これにより、第１実施形態に比較して大寸法である体液吸収パッド３１の着用状態における臀部のフィット感が好適に維持される。
【符号の説明】
【００５４】
１，３１…体液吸収パッド、２…浸透布、２ｄ…凹部、３…裏当布、４…吸収保水層、１１…上部吸収保水層、１４…スリット（第１のスリット）、１５…スリット（第２のスリット）、１７…舌片状の層、２１…底部吸収保水層、Ｓ，Ｓａ…縫着部分、Ｐ…袋部。
【図１】
2010259724.tif 000003
【図２】
2010259724.tif 000004
【図３】
2010259724.tif 000005
【図４】
2010259724.tif 000006
【図５】
2010259724.tif 000007
【図６】
2010259724.tif 000008